(57)【特許請求の範囲】
【請求項１】
マイクロブログの主題を掲示する方法として、
主題作業用トリガーを受信する段階と、
前記トリガーによって事前設定デフォルト主題を獲得する段階と、
マイクロブログの入力ボックスに事前設定デフォルト主題を表示し、前記事前設定デフォルト主題はマイクロブログの入力ボックスの入力開始位置に表示され、入力開始位置はマイクロブログの入力ボックスの左側端部又は右側端部である事前設定デフォルト主題の表示段階と、
ユーザーによってマイクロブログの入力ボックスに入力される掲示対象コンテンツを受信する段階と、
コンテンツ掲示作業用トリガーを受信する段階と、
当該コンテンツ掲示作業用トリガーを受信する段階後に、
マイクロブログの入力ボックスに現在表示されている主題を獲得する段階と、
マイクロブログの入力ボックスに現在表示されている主題が事前設定デフォルト主題であるか否かを判定する段階と、
マイクロブログの入力ボックスに現在表示されている主題が事前設定デフォルト主題であると判定される場合、事前設定デフォルト主題で掲示対象コンテンツを掲示する段階と、
マイクロブログの入力ボックスに現在表示されている主題が事前設定デフォルト主題でない場合、マイクロブログの入力ボックスに現在表示されている主題で掲示対象コンテンツを掲示する段階を含むマイクロブログの主題掲示方法。
【請求項２】
前記主題作業用トリガーを受信する段階後に、
マイクロブログの入力ボックスに事前設定主題を設定する段階と、
サーバーが事前設定デフォルト主題の設定を記録するように事前設定デフォルト主題をサーバーに伝送する段階と、をさらに含む、請求項１に記載のマイクロブログの主題掲示方法。
【請求項３】
前記事前設定デフォルト主題はサーバーから獲得される、請求項２に記載のマイクロブログの主題掲示方法。
【請求項４】
前記主題作業は、ユーザーのクリック動作又はユーザーの音声入力によって触発される、請求項１に記載のマイクロブログの主題掲示方法。
【請求項５】
マイクロブログの主題を掲示する方法として、
主題作業用トリガーを受信する段階と、
前記トリガーによって事前設定デフォルト主題を獲得する段階と、
マイクロブログの入力ボックスに事前設定デフォルト主題を表示する段階と、
ユーザーによってマイクロブログの入力ボックスに入力される掲示対象コンテンツを受信する段階と、
コンテンツ掲示作業用トリガーを受信する段階と、
当該コンテンツ掲示作業用トリガーを受信する段階後に、
マイクロブログの入力ボックスに現在表示されている主題を獲得する段階と、
マイクロブログの入力ボックスに現在表示されている主題が事前設定デフォルト主題であるか否かを判定する段階と、
マイクロブログの入力ボックスに現在表示されている主題が事前設定デフォルト主題であると判定される場合、事前設定デフォルト主題で掲示対象コンテンツを掲示する段階と、
マイクロブログの入力ボックスに現在表示されている主題が事前設定デフォルト主題でない場合、マイクロブログの入力ボックスに現在表示されている主題で掲示対象コンテンツを掲示する段階を含むマイクロブログの主題掲示方法。
【請求項６】
前記主題作業用トリガーを受信する段階後に、
マイクロブログの入力ボックスに事前設定デフォルト主題を設定する段階と、
サーバーが事前設定デフォルト主題の設定を記録するように事前設定デフォルト主題をサーバーに伝送する段階と、をさらに含む、請求項５に記載のマイクロブログの主題掲示方法。
【請求項７】
前記事前設定デフォルト主題はサーバーから獲得される、請求項６に記載のマイクロブログの主題掲示方法。
【請求項８】
前記主題作業は、ユーザーのクリック動作やユーザーの音声入力によって触発される、請求項７に記載のマイクロブログの主題掲示方法。
【請求項９】
主題作業用トリガーが受信された後に事前設定デフォルト主題を獲得するように構成される第１の獲得ユニットと、
マイクロブログの入力ボックスに事前設定デフォルト主題を表示するように構成される表示ユニットと、
ユーザーによってマイクロブログの入力ボックスに入力される掲示対象コンテンツを受信するように構成される受信ユニットと、
マイクロブログの入力ボックスに現在表示されている主題が事前設定デフォルト主題であるか否かを判定するように構成される判定ユニットと、
コンテンツ掲示作業用トリガーが受信された後、マイクロブログの入力ボックスに現在表示されている主題を獲得するように構成される第２の獲得ユニットと、
マイクロブログの入力ボックスに現在表示されている主題が判定ユニットによって事前設定デフォルト主題であると判定された後、事前設定デフォルト主題で掲示対象コンテンツを掲示するように構成され、
マイクロブログの入力ボックスに現在表示されている主題が前記判定ユニットによって事前設定デフォルト主題でないと判定される場合、マイクロブログの入力ボックスに現在表示されている主題で掲示対象コンテンツを掲示するように構成される掲示ユニットと、を含む端末機。
【請求項１０】
前記第１の獲得ユニットが事前設定デフォルト主題を獲得する前に、マイクロブログの入力ボックスに事前設定デフォルト主題を設定するように構成される設定ユニットと、
サーバーが事前設定デフォルト主題の設定を記録するように、事前設定デフォルト主題をサーバーに伝送するように構成される伝送ユニットと、をさらに含む、請求項９に記載の端末機。
【請求項１１】
前記第１の獲得ユニットは、主題作業用トリガーが受信された後、サーバーから事前設定デフォルト主題を獲得するようにさらに構成される、請求項１０に記載の端末機。
【請求項１２】
前記主題作業は、ユーザーのクリック動作やユーザーの音声入力によって触発される、請求項９に記載の端末機。
【発明の詳細な説明】
【技術分野】
【０００１】
本出願は、２０１２年１２月２６日に出願された国際出願第ＰＣＴ／ＣＮ２０１２／０８７，５５１号に続くものである。本出願は、２０１１年１２月２９日に出願された中国出願第２０１１１０４５１６７９．２の利益と優先権を主張する。それぞれの前記出願は、その全体の開示内容が本出願に援用される。
【０００２】
本開示は、端末作業分野に関し、より詳細には、マイクロブログの主題を掲示する方法と端末機に関する。
【背景技術】
【０００３】
Ｑｚｏｎｅ、マイクロブログなどの製品において、書面作業（ｗｒｉｔｔｅｎ  ｏｐｅｒａｔｉｏｎ）モードは、概して同一の主題（ｔｏｐｉｃ）のコンテンツ統合によって形成される。ユーザーがマイクロブログの入力ボックスの"主題"ボタンをクリックすると、デフォルト案内プロンプト"＃書き込みを望むなら主題を入力してください。"が表示される。ユーザーは、＃符号間に自分が作成したい文の主題を入力し、該当の主題に対応する掲示対象コンテンツをマイクロブログの入力ボックスに入力した後、該当の主題で掲示対象コンテンツを掲示することができる。
【０００４】
上述した主題掲示方法には、ユーザーのための主題関連プロンプトが存在しない。ユーザーの意識が十分に高くない場合、ユーザーは、どの主題が他人によって現在最も多く討論されているかを把握することができなく、主題ボタンをクリックした後、何に対して書き込むべきであるかが分からない。その結果、ユーザーが討論主題に参加する能力が低下し、ユーザーの経験の質が悪化する。
【発明の概要】
【発明が解決しようとする課題】
【０００５】
本開示の実施例は、ユーザーの主題討論参加を増加させ、ユーザーの経験の質を向上させ得るマイクロブログ主題の掲示方法と端末機を提供する。
【課題を解決するための手段】
【０００６】
以上言及した目的を達成するために、本開示の実施例は、次のような技術的構成を取る。
【０００７】
マイクロブログの主題を掲示する方法は、
主題作業用トリガーを受信する段階と、
トリガーによって事前設定デフォルト主題を獲得する段階と、
マイクロブログの入力ボックスに事前設定デフォルト主題を表示する段階と、
ユーザーによってマイクロブログの入力ボックスに入力される掲示対象コンテンツを受信する段階と、
マイクロブログの入力ボックスに現在表示されている主題が事前設定デフォルト主題であるか否かを判定する段階と、
マイクロブログの入力ボックスに現在表示されている主題が事前設定デフォルト主題であると判定される場合、事前設定デフォルト主題で掲示対象コンテンツを掲示する段階とを含む。
【０００８】
事前設定デフォルト主題は、マイクロブログの入力ボックスの入力開始位置に表示され、入力開始位置は、マイクロブログの入力ボックスの左側端部又は右側端部である。
【０００９】
マイクロブログの主題を掲示する方法は、
主題作業用トリガーを受信する段階と、
事前設定デフォルト主題を獲得する段階と、
マイクロブログの入力ボックスに事前設定デフォルト主題を表示する段階と、
ユーザーによってマイクロブログの入力ボックスに入力される掲示対象コンテンツを受信する段階と、
コンテンツ掲示作業用トリガーを受信する段階と、
マイクロブログの入力ボックスに現在表示されている主題が事前設定デフォルト主題であるか否かを判定する段階と、
マイクロブログの入力ボックスに現在表示されている主題が事前設定デフォルト主題であると判定される場合、事前設定デフォルト主題で掲示対象コンテンツを掲示する段階とを含む。
【００１０】
端末機は、
主題作業用トリガーが受信された後、事前設定デフォルト主題を獲得するように構成される第１の獲得ユニットと、
マイクロブログの入力ボックスに事前設定デフォルト主題を表示するように構成される表示ユニットと、
ユーザーによってマイクロブログの入力ボックスに入力される掲示対象コンテンツを受信するように構成される受信ユニットと、
マイクロブログの入力ボックスに現在表示されている主題が事前設定デフォルト主題であるか否かを判定するように構成される判定ユニットと、
掲示作業用トリガーが受信され、マイクロブログの入力ボックスに現在表示されている主題が判定ユニットによって事前設定デフォルト主題であると判定された後、事前設定デフォルト主題で掲示対象コンテンツを掲示するように構成される掲示ユニットとを含む。
【００１１】
本開示の実施例によって提供されるマイクロブログ主題の掲示方法では、主題作業用トリガーが受信された後、事前設定デフォルト主題がマイクロブログの入力ボックスに表示され、その結果、ユーザーは、事前設定デフォルト主題について便利に討論することができる。また、掲示作業用トリガーが受信され、マイクロブログの入力ボックスに現在表示されている主題が事前設定デフォルト主題であると判定された後、直接事前設定デフォルト主題で掲示対象コンテンツを掲示することは、それぞれの目的を決めずコンテンツを掲示する代わりに、ユーザーが他者と同一の主題について討論できるようにするので、ユーザーに有益である。その結果、ユーザーの作業に便利であり、ユーザーの主題討論参加が増加し、ユーザーの経験の質を向上させる。
【図面の簡単な説明】
【００１２】
【図１】本開示の一実施例に係るマイクロブログ主題の掲示方法のフローチャートを概略的に示す。
【図２】本開示の他の実施例に係るマイクロブログ主題の掲示方法のフローチャートを概略的に示す。
【図３】本開示の図２の実施例に係るマイクロブログの入力ボックスに表示されるデフォルト主題を概略的に示す。
【図４】本開示の更に他の実施例に係る端末機のブロック図を概略的に示す。
【図５】本開示の図３の実施例に係る他の端末機のブロック図を概略的に示す。
【図６】本開示の図３の実施例に係る他の端末機のブロック図を概略的に示す。
【発明を実施するための形態】
【００１３】
以下、本開示の実施例に提供される技術的構成を添付の図面を参照して明確且つ完璧に説明する。もちろん、本出願で説明する実施例は、本開示の可能な実施例の全部ではなく、その一部に過ぎない。また、技術分野の技術者が創意的な努力なく本出願の実施例に基づいて考案した他の実施例も、本開示の保護範囲に属する。
【００１４】
次の説明は、事実上、例示のみに過ぎなく、本開示、その適用例又は使用を制限しないように意図されている。本開示の普遍的な説示は、多様な形態に具現することができる。そのため、本開示は特定の例を含むが、図面、明細書及び下記の特許請求の範囲の検討を通して他の変形例が明確になるので、本開示の真の範囲はこれに制限されてはならない。明瞭性を期するために、同一の参照番号は、類似する要素を識別するために図面に使用される。
【００１５】
本明細書に使用される用語は、一般的に技術分野で、本開示の脈絡内で、そして、それぞれの用語が使用される特定の脈絡で通常的な意味を有する。本開示の説明を参照する当業者に追加的な指針を提供するために、本開示を説明するために使用される一部の用語を、以下で又は明細書の他の部分で検討する。本出願で論議される用語の例を含む本明細書の全ての部分で使用された例は、例示のためのものに過ぎなく、本開示又は例として挙げた用語の範囲と意味を決して制限しない。同様に、本開示は、本明細書で提示された多様な実施例に制限されない。
【００１６】
本出願の説明と下記の特許請求の範囲全般にわたって使用される"ａ"、"ａｎ"及び"ｔｈｅ"の意味は、本文で別途に明示されない限り、複数の言及を含む。また、本出願の説明と下記の特許請求の範囲全般にわたって使用される"ｉｎ"は、本文で別途に明示されない限り、"ｉｎ"と"ｏｎ"を含む。
【００１７】
本出願に使用される用語である"包括する"、"含む"、"有する"、"含有する"、"伴う"などは開放型用語であって、すなわち、含んではいるが、これに限定されないという意味として理解しなければならない。
【００１８】
本出願に使用される表現である"Ａ、Ｂ、Ｃのうち少なくとも一つ"は、非排他的な論理和を使用する論理構造（Ａ又はＢ又はＣ）を意味するものとして解釈しなければならない。もちろん、方法を構成する一つ以上の段階は、本開示の原理を変更せず、他の順序で（又は同時に）実行することができる。
【００１９】
本出願に使用される用語である"モジュール"は、注文型集積回路（ＡＳＩＣ）、電子回路、組み合わせ論理回路、フィールドプログラム可能ゲートアレイ（ＦＰＧＡ）、コード実行プロセッサ（共有型、専用又は集団型）、説明した機能を提供する他の適切なハードウェア、又はシステムオンチップ（ｓｙｓｔｅｍ―ｏｎ―ｃｈｉｐ）のように、これらのうち一部或いは全部の組み合わせを示したり、含んだり、その一部であり得る。モジュールという用語は、プロセッサによって実行されるコードを保存するメモリ（共有型、専用又は集団型）を含むことができる。
【００２０】
本出願に使われる用語である"コード"は、ソフトウェア、ファームウェア及び／又はマイクロコードを含むことができ、プログラム、ルーチン、機能、等級及び／又は客体を示すことができる。本出願に使用される用語である"共有型"は、多重モジュールからのいくつかのコード又は全体のコードが単一（共有型）プロセッサを使用して実行され得ることを意味する。また、多重モジュールからのいくつかのコード又は全体のコードは、単一（共有型）メモリによって保存することができる。本出願に使用される用語である"集団型"は、単一モジュールからのいくつかのコード又は全体のコードがプロセッサ集団を使用して行われ得ることを意味する。また、単一モジュールからのいくつかのコード又は全体のコードは、メモリ集団を使用して保存することができる。
【００２１】
本出願で説明するシステムと方法は、一つ以上のプロセッサによって実行される一つ以上のコンピュータープログラムによって具現することができる。コンピュータープログラムは、非臨時（ｎｏｎ―ｔｒａｎｓｉｔｏｒｙ）有形（ｔａｎｇｉｂｌｅ）のコンピューター判読可能媒体に保存されるプロセッサ実行可能命令を含む。また、コンピュータープログラムは、保存されたデータを含むことができる。非臨時有形のコンピューター判読可能媒体の非制限的な例としては、非揮発性メモリ、磁気保存素子及び光学保存素子がある。
【００２２】
以下、図１ないし図６の添付の図面と関連して本発明の実施例を説明する。もちろん、本出願で説明する特定の実施例は、本発明を説明するように意図されたものに過ぎなく、本発明を制限しないように意図されている。
【００２３】
実施例１
【００２４】
本開示の実施例は、マイクロブログの主題を掲示する方法を提供する。図１に示したように、本方法は下記の段階を含む。
【００２５】
段階１０１では、主題作業用トリガーが受信されるとき、事前設定デフォルト主題がトリガーによって獲得され、事前設定デフォルト主題がマイクロブログの入力ボックスに表示される。事前設定デフォルト主題は、マイクロブログの入力ボックスのいずれか一つの位置に表示することができる。例えば、事前設定デフォルト主題は、マイクロブログの入力ボックスの入力開始位置に表示することができる。開始位置は、（中国語、英語などであることを条件に）左側端部であるか、（ヘブライ語などであることを条件に）右側端部であり得る。
【００２６】
主題作業は、ユーザーによる"主題"ボタンのクリック動作によって触発されるが、これに限定されることはない。例えば、主題作業は、ユーザーの音声入力によって触発され得る。すなわち、音声入力が主題作業を触発することを指示するものであるか否かが、ユーザーの音声入力を獲得した後で音声入力によって判定される。もし、そうである場合、主題作業が触発される。デフォルト主題は、現在の最高関心主題（ｈｏｔ  ｔｏｐｉｃ）であり得る。事前設定デフォルト主題は、管理者によって事前に設定された主題であるか、ユーザーによって事前に設定された主題などであり得るが、本開示の実施例の方法に限定されなく、任意の関心主題のうち一つ、例えば、無作為方法などによって生成される主題であり得る。
【００２７】
また、事前設定デフォルト主題が獲得される前に、事前設定主題はマイクロブログの入力ボックスに設定される必要があり、事前設定デフォルト主題は、サーバーが事前設定デフォルト主題の設定を記録するようにサーバーに伝送される。主題作業用トリガーが受信されると、事前設定デフォルト主題がサーバーから獲得される。
【００２８】
段階１０２では、ユーザーによってマイクロブログの入力ボックスに入力される掲示対象コンテンツが受信される。
【００２９】
段階１０３では、コンテンツ掲示作業用トリガーが受信され、マイクロブログの入力ボックスに現在表示されている主題が事前設定デフォルト主題であると判定された後、掲示対象コンテンツが事前設定主題で掲示される。
【００３０】
本開示の実施例では、主題作業用トリガーが受信された後、事前設定デフォルト主題がマイクロブログの入力ボックスに表示され、その結果、ユーザーは、事前設定デフォルト主題について便利に討論することができる。また、コンテンツ掲示作業用トリガーが受信され、マイクロブログの入力ボックスに現在表示される主題が事前設定デフォルト主題であると判定された後、事前設定デフォルト主題で掲示対象コンテンツを掲示することは、コンテンツをそれぞれの目的を決めず掲示する代わりに、他者と同一の主題について討論できるようにするので、ユーザーに有益である。その結果、ユーザーの作業に便利であり、ユーザーの主題討論参加が増加し、ユーザーの経験の質が向上する。
【００３１】
実施例２
【００３２】
本開示の実施例は、マイクロブログの主題を掲示する方法を提供する。図２に示したように、本方法は下記の段階を含む。
【００３３】
段階２０１では、事前設定デフォルト主題がマイクロブログの入力ボックスに設定され、サーバーが事前設定デフォルト主題の設定を記録するように事前設定デフォルト主題がサーバーに伝送される。
【００３４】
事前設定デフォルト主題は、現在の最高関心主題であり得るが、本開示の実施例に提示されたものに限定されなく、関心主題のうちいずれか一つであり得る。例えば、大学入試期間には、誰もが興味を持つ最高関心主題は大学入試である。したがって、事前設定デフォルト主題は、"大学入試に関する何か"に設定することができる。
【００３５】
また、マイクロブログの入力ボックスの事前設定デフォルト主題は、運営者によって設定可能であるが、本開示の実施例に提示されたものに限定されなく、他の装置によって設定することができる。
【００３６】
段階２０２で、主題作業用トリガーが受信されると、事前設定デフォルト主題がトリガーによってサーバーから獲得され、事前設定デフォルト主題がマイクロブログの入力ボックスに表示される。
【００３７】
主題作業は、ユーザーによる"主題"ボタンのクリック動作によって触発され得るが、これに限定されることはない。例えば、主題作業は、ユーザーの音声入力によって触発され得る。すなわち、音声入力が主題作業を触発することを指示するものであるか否かが、ユーザーの音声入力を獲得した後で音声入力によって判定される。もし、そうである場合、主題作業が触発される。段階２０１の事前設定デフォルト主題である"大学入試に関する何か"を例に挙げると、ユーザーが"主題"ボタンをクリックした後、事前設定デフォルト主題が、図３に示したようにマイクロブログの入力ボックスに表示される。
【００３８】
段階２０３では、ユーザーによってマイクロブログの入力ボックスに入力される掲示対象コンテンツが受信される。
【００３９】
段階２０４では、コンテンツ掲示作業用トリガーが受信された後、マイクロブログの入力ボックスに現在表示されている主題が獲得される。
【００４０】
事前設定デフォルト主題がマイクロブログの入力ボックスに表示された後、ユーザーが事前設定デフォルト主題に興味を感じない場合がある。ユーザーは、マイクロブログの入力ボックスの事前設定主題を手動で変更することができる。したがって、コンテンツ掲示作業用トリガーが受信された後、ユーザーが事前設定デフォルト主題を変更するか否かを判定するように、マイクロブログの入力ボックスに現在表示されている主題が先に獲得される必要がある。
【００４１】
段階２０５では、マイクロブログの入力ボックスに現在表示されている主題が事前設定デフォルト主題であるか否かが判定される。マイクロブログの入力ボックスに現在表示されている主題が事前設定デフォルト主題であると、ユーザーが事前設定デフォルト主題を変更していないことを意味し、続いて、段階２０６が行われる。マイクロブログの入力ボックスに現在表示されている主題が事前設定デフォルト主題でない場合、ユーザーが事前設定デフォルト主題を変更したことを意味し、続いて、段階２０７が行われる。
【００４２】
マイクロブログの入力ボックスに現在表示されている主題を獲得し、マイクロブログの入力ボックスに現在表示されている主題が事前設定デフォルト主題であるか否かを判定することによって、掲示対象コンテンツが掲示される前に事前設定主題が変わることを防止するのに役立ち、ユーザーが討論する主題の一貫性を保障するのに有利である。
【００４３】
段階２０６では、掲示対象コンテンツが事前設定デフォルト主題で掲示される。
【００４４】
段階２０７では、掲示対象コンテンツがマイクロブログの入力ボックスに現在表示されている主題で掲示される。
【００４５】
本開示の実施例では、主題作業用トリガーが受信されると、事前設定デフォルト主題がマイクロブログの入力ボックスに表示され、その結果、ユーザーは、事前設定デフォルト主題について便利に討論することができる。また、コンテンツ掲示作業用トリガーが受信され、マイクロブログの入力ボックスに現在表示されている主題が事前設定デフォルト主題であると判定された後、掲示対象コンテンツを直接事前設定デフォルト主題で掲示することは、ユーザーの作業に便利であり、ユーザーの主題討論参加が増加し、ユーザーの経験の質が向上する。ユーザーが利用する主題機能を提供する短縮方法は、書面作業の閾値を低下させる。
【００４６】
また、ユーザーが事前設定デフォルト主題に興味を感じない場合、ユーザーは、マイクロブログの入力ボックスの事前設定主題を変更し、変更された主題で掲示対象コンテンツを掲示することができる。したがって、ユーザーの作業に便利であり、ユーザーの経験の質が向上する。
【００４７】
実施例３
【００４８】
本開示の実施例は端末機を提供する。図４に示したように、端末機は、第１の獲得ユニット３１、表示ユニット３２、受信ユニット３３及び掲示ユニット３４を含む。
【００４９】
第１の獲得ユニット３１は、主題作業用トリガーが受信された後、事前設定デフォルト主題を獲得するように構成される。主題作業は、ユーザーによる"主題"ボタンのクリックによって触発され得るが、これに限定されることはない。例えば、主題作業は、ユーザーの音声入力によって触発され得る。すなわち、音声入力が主題作業を触発することを指示するものであるか否かが、ユーザーの音声入力を獲得した後で音声入力によって判定される。もし、そうである場合は、主題作業が触発される。
【００５０】
表示ユニット３２は、マイクロブログの入力ボックスに事前設定デフォルト主題を表示するように構成される。
【００５１】
受信ユニット３３は、ユーザーによってマイクロブログの入力ボックスに入力される掲示対象コンテンツを受信するように構成される。
【００５２】
掲示ユニット３４は、コンテンツ掲示作業用トリガーが受信され、マイクロブログの入力ボックスに現在表示されている主題が事前設定デフォルト主題であると判定された後、事前設定デフォルト主題で掲示対象コンテンツを掲示するように構成される。
【００５３】
事前設定デフォルト主題がマイクロブログの入力ボックスに表示された後、ユーザーが事前設定デフォルト主題に興味を感じない場合がある。ユーザーは、マイクロブログの入力ボックスの事前設定デフォルト主題を手動で変更することができる。したがって、掲示作業用トリガーが受信された後、ユーザーが事前設定デフォルト主題を変更するか否かを判定できるように、マイクロブログの入力ボックスに現在表示されている主題が先に獲得される必要がある。また、端末機は、第２の獲得ユニット３５及び判定ユニット３６をさらに含む。
【００５４】
第２の獲得ユニット３６は、コンテンツ掲示作業用トリガーが受信された後、マイクロブログの入力ボックスに現在表示されている主題を獲得するように構成される。
【００５５】
判定ユニット３６は、マイクロブログの入力ボックスに現在表示されている主題が事前設定デフォルト主題であるか否かを判定するように構成される。
【００５６】
掲示ユニット３４は、マイクロブログの入力ボックスに現在表示されている主題が事前設定デフォルト主題でないと判定され、したがって、ユーザーが事前設定デフォルト主題を変更したことを示す場合、マイクロブログの入力ボックスに現在表示されている主題で掲示対象コンテンツを掲示するようにさらに構成される。
【００５７】
マイクロブログの入力ボックスに現在表示されている主題を獲得し、マイクロブログの入力ボックスに現在表示されている主題が事前設定デフォルト主題であるか否かを判定することによって、掲示対象コンテンツが掲示される前に事前設定デフォルト主題が変わることを防止するのに役立ち、ユーザーが討論する主題の一貫性を保障するのに役立つ。
【００５８】
また、端末機は、設定ユニット３７及び伝送ユニット３８をさらに含む。
【００５９】
設定ユニット３８は、第１の獲得ユニット３１が事前設定デフォルト主題を獲得する前に、マイクロブログの入力ボックスに事前設定デフォルト主題を設定するように構成される。事前設定デフォルト主題は、現在の最高関心主題であり得るが、本開示の実施例に提示されたものに限定されなく、任意の関心主題のうちの一つであり得る。例えば、大学入試期間には、誰もが興味を感じる最高関心主題は大学入試である。したがって、事前設定デフォルト主題は"大学入試に関する何か"に設定することができる。
【００６０】
伝送ユニット３８は、サーバーが事前設定デフォルト主題の設定を記録するように、事前設定デフォルト主題をサーバーに伝送するように構成される。
【００６１】
第１の獲得ユニット３１は、主題作業用トリガーが受信された後、サーバーから事前設定デフォルト主題を獲得するようにさらに構成される。
【００６２】
本開示の実施例に係るマイクロブログ主題の掲示方法と端末機では、主題作業用トリガーが受信されるとき、事前設定デフォルト主題がマイクロブログの入力ボックスに表示され、その結果、ユーザーは、事前設定デフォルト主題について便利に討論することができる。また、掲示作業用トリガーが受信され、マイクロブログの入力ボックスに現在表示されている主題が事前設定デフォルト主題であると判定された後、事前設定デフォルト主題で掲示対象コンテンツを掲示することは、ユーザーの作業に便利であり、ユーザーの主題討論参加が増加し、ユーザーの経験の質を向上させる。ユーザーが利用する主題機能を提供する短縮方法は、書面作業の閾値を低下させる。
【００６３】
また、ユーザーが事前設定デフォルト主題に興味を感じない場合、ユーザーは、マイクロブログの入力ボックスの事前設定デフォルト主題を変更し、変更された主題で掲示対象コンテンツを掲示することができる。したがって、ユーザーの作業に便利であり、ユーザーの経験の質が向上する。
【００６４】
もちろん、技術分野の技術者であれば、以上の実施例で説明した方法の段階のうち全部又は一部を、プログラムやハードウェアの命令を受ける関連ハードウェアによって実行することができ、前者が多くの場合において望ましいことが分かるだろう。プログラムが実行されると、実施例に説明した方法の段階が行われる。このような理解に基づいて、本開示の本質的に技術的な構成や従来技術を飛び越える貢献をソフトウェア製品によって実現することができる。コンピューターソフトウェア製品は、コンピューターのソフトディスク、磁気ディスク、コンパクトディスクなどのコンピューター判読可能メモリ媒体に保存され、本開示の実施例に係る方法を行うための（個人用コンピュータ、サーバー又はネット装置であり得る）コンピューター装置用コードを含む。
【００６５】
もちろん、以上で説明した実施例は、本開示の望ましい実施例に過ぎなく、本開示の保護範囲を制限することはなく、本開示の思想を逸脱しない範囲で技術分野の技術者によって容易に考案された任意の変形又は代替は保護範囲に属する。そのため、本開示の保護範囲は、添付の特許請求の範囲によって明示される範囲に従属される。
【符号の説明】
【００６６】
３１：第１の獲得ユニット、３２：表示ユニット、３３：受信ユニット、３４：掲示ユニット、３５：第２の獲得ユニット、３６：判定ユニット、３７：設定ユニット、３８：伝送ユニット
【図１】
0005914651.tif 000002
【図２】
0005914651.tif 000003
【図４】
0005914651.tif 000004
【図５】
0005914651.tif 000005
【図６】
0005914651.tif 000006
【図３】
0005914651.tif 000007